(57)【特許請求の範囲】
【請求項１】
パズル機能を有するパズル部材であって、４つの辺を有する正方形であり、各前記辺はアリ溝が等間隔に形成されている係合部を有し、少なくとも２本の横断線により横断されることで、前記辺とは反対側に嵌合部を有する４つのブロックに分割され、
４つの前記ブロックは、前記係合部同士が相互に係合することでジグソーパズルユニットを形成することを特徴とするパズル部材。
【請求項２】
４つの前記ブロックは、対向する両側辺の形状が同じである対称ジグソーパズルユニットを形成可能であり、
２本の前記横断線は、前記４つの辺のうち互いに対向する２つの辺を連結するよう十字状に交差し、
４つの前記ブロックのうち何れか２つの前記ブロックを、前記対称ジグソーパズルユニットの一方の対角線により連結されている２つの部分とし、
４つの前記ブロックのうち何れか２つの裏返された前記ブロックを、前記対称ジグソーパズルユニットの他方の対角線により連結されている２つの部分とし、
２つの前記ブロックの前記係合部と裏返された２つの前記ブロックの前記係合部とが係合することにより前記対称ジグソーパズルユニットが形成されることを特徴とする請求項１に記載のパズル部材。
【請求項３】
４つの前記ブロックは、対向する両側辺の形状が同じである対称ジグソーパズルユニットを形成可能であり、
前記２本の横断線は、４つの前記辺のうち互いに隣接する２つの前記辺の間に形成されている角のうち互いに対向する角を連結するようＸ字状に交差し、
何れか二つの前記ブロックは、前記係合部同士が係合することにより前記対称ジグソーパズルユニットを形成することを特徴とする請求項１に記載のパズル部材。
【請求項４】
４つの前記ブロックは、対向する両側辺が嵌合可能な形状を有する非対称ジグソーパズルユニットを形成可能であり、
２本の前記横断線は、４つの前記辺のうち互いに対向する２つの辺を連結するよう十字状に交差し、
４つの前記ブロックは、前記係合部同士が係合することにより、前記非対称ジグソーパズルユニットを形成することを特徴とする請求項１に記載のパズル部材。
【請求項５】
４つの前記ブロックは、対向する両側辺が嵌合可能な形状を有する非対称ジグソーパズルユニットを形成可能であり、
前記２本の横断線は、４つの前記辺のうち互いに隣接する２つの前記辺の間に形成されている角のうち互いに対向する角を連結するようＸ字状に交差し、
４つの前記ブロックのうち、互いに対向する二つの前記ブロックは、前記係合部同士が係合することにより前記非対称ジグソーパズルユニットを形成することを特徴とする請求項１に記載のパズル部材。
【発明の詳細な説明】
【技術分野】
【０００１】
本発明は、パズル部材に関する。
【背景技術】
【０００２】
従来、地面に敷く矩形のマットは、外表面或いは内部のデザインが変化するのみで、組み合わせた後の全体のデザインの変化がなかった。
【０００３】
現在、市場にはパズル機能を有するパズルマットが出されている。パズルマットは、組み合わせの変化を多様にすることができる。図８に示すように、パズルマット９１は方形のパッド９０から直接切り出され、パズルマット９１の各辺にはそれぞれには別のパズルマット（図示せず）と相互に嵌合し合う嵌合部９２を有する。
【先行技術文献】
【特許文献】
【０００４】
【特許文献１】特願平３−２４７８０３号公報
【発明の概要】
【発明が解決しようとする課題】
【０００５】
しかしながら、前述した従来の技術では、パズルマット９１の嵌合部９２の形状は凹凸状であり、方形のパッド９０からパズルマット９１が切り出される際に方形のパッド９０の一部が廃棄物９３になる。よって、従来のパズルマット９１の製造コストが高くなる。
【０００６】
さらに、従来のパズルマット９１は、周縁に全て凸部或いは凹部を有する嵌合部９２が形成され、地面に敷かれたとき、周縁の美観が損なわれる問題が存在する。
【０００７】
本発明は、上述した従来の問題に鑑みてなされたものである。本発明の目的は、多様な組み合わせデザインを有し、コストを抑制するパズル部材を提供することにある。
【課題を解決するための手段】
【０００８】
本発明によるパズル部材は、パズル機能を有し、４つの辺を有する正方形であり、各辺はアリ溝が等間隔に形成されている係合部を有し、少なくとも２本の横断線により横断されることで、辺とは反対側に嵌合部を有する４つのブロックに分割される。
４つのブロックは、係合部同士が相互に係合することでジグソーパズルユニットを形成する。
【０００９】
請求項２に係る発明によると、４つのブロックは、対向する両側辺の形状が同じである対称ジグソーパズルユニットを形成可能である。２本の横断線は、４つの辺のうち互いに対向する２つの辺を連結するよう十字状に交差する。４つのブロックのうち何れか２つのブロックを、対称ジグソーパズルユニットの一方の対角線により連結されている２つの部分とする。また、４つのブロックのうち何れか２つの裏返されたブロックを、対称ジグソーパズルユニットの他方の対角線により連結されている２つの部分とする。２つのブロックの係合部と裏返された２つのブロックの係合部とが係合することにより対称ジグソーパズルユニットを形成する。
【００１０】
請求項３に係る発明によると、４つのブロックは、対向する両側辺の形状が同じである対称ジグソーパズルユニットを形成可能である。２本の横断線は、４つの辺のうち互いに隣接する２つの辺の間に形成されている角のうち互いに対向する角を連結するようＸ字状に交差する。何れか二つのブロックは、係合部同士が係合することにより対称ジグソーパズルユニットを形成する。
【００１１】
請求項４に係る発明によると、４つのブロックは、対向する両側辺が嵌合可能な形状を有する非対称ジグソーパズルユニットを形成可能である。２本の横断線は、４つの辺のうち互いに対向する２つの辺を連結するよう十字状に交差する。４つのブロックは、係合部同士が係合することにより、非対称ジグソーパズルユニットを形成する。
【００１２】
請求項５に係る発明によると、４つのブロックは、対向する両側辺が嵌合可能な形状を有する非対称ジグソーパズルユニットを形成可能である。２本の横断線は、４つの辺のうち互いに隣接する２つの辺の間に形成されている角のうち互いに対向する角を連結するようＸ字状に交差する。４つのブロックのうち、互いに対向する二つのブロックは、係合部同士が係合することにより非対称ジグソーパズルユニットを形成する。
【図面の簡単な説明】
【００１３】
【図１】本発明の第一実施形態によるパズル部材を示す模式図である。
【図２】本発明の第一実施形態によるパズル部材を示す模式図である。
【図３】本発明の第一実施形態によるパズル部材を示す模式図である。
【図４】本発明の第一実施形態によるパズル部材を示す模式図である。
【図５】本発明の第二実施形態によるパズル部材を示す模式図である。
【図６】本発明の第三実施形態によるパズル部材の組み合わせを示す模式図である。
【図７】本発明の第四実施形態によるパズル部材の組み合わせを示す模式図である。
【図８】従来のパズルマットを示す模式図である。
【発明を実施するための形態】
【００１４】
以下に図面を参照して本発明の実施形態について詳細に説明する。なお、本発明は、以下に説明する実施形態に限定されるものではない。
【００１５】
（第一実施形態）
本発明の第一実施形態のパズル部材を図１〜４に基づいて説明する。
図１は、本発明の第一実施形態の構造を示す模式図である。パズル部材１１は、４つの辺を有する正方形であり、各辺はアリ溝が等間隔に形成されている係合部１２を有する。パズル部材１１には、２本の横断線１３及び横断線１４により、４つのブロック２１、ブロック２２、ブロック２３、及びブロック２４に分割される。ここで、横断線１３及び横断線１４は、パズル部材１１の互いに対向する２つの辺を連結するよう十字状に交差する。また、２本の横断線１３及び横断線１４は所定湾曲状を呈し、各ブロック２１、ブロック２２、ブロック２３、及びブロック２４の接触箇所には相互に嵌合可能な嵌合部１５がそれぞれ形成されている。
【００１６】
本実施形態では、２本の横断線１３及び横断線１４はパズル部材１１を４つの同じ形状のブロック２１、ブロック２２、ブロック２３、及びブロック２４に分割する。４つのブロック２１、２２、２３、２４は、係合部１２同士、または、嵌合部１５同士が相互に嵌合可能である。これによりパズル部材１１の何れか２つのブロックと別のパズル部材３０の２つのブロックとを組み合わせることができる。
別のパズル部材３０は、横断線１３及び横断線１４と線対称する２本の横断線３１及び横断線３２により、４つのブロック３３、ブロック３４、ブロック３５、及びブロック３６に分割される。
【００１７】
図２に示すように、ブロック２１及びブロック２２とブロック３３及びブロック３４とは係合部１２により相互に結合し、対称ジグソーパズルユニット４０を形成する。パズル部材１１の何れか２つのブロック２１及びブロック２２は対称ジグソーパズルユニット４０の対角している位置に位置する。別のパズル部材３０の内の何れか２つのブロック３３及びブロック３４は対称ジグソーパズルユニット４０の別の対角している位置に位置する。残りのブロック２３及びブロック２４はブロック３５及びブロック３６と結合し別の対称ジグソーパズルユニット（図示せず）を形成する。
【００１８】
また、パズル部材１１の何れか２つのブロック２１及びブロック２２は対称ジグソーパズルユニット４０の２つの対角している位置に位置し、残りの２つのブロック２３及びブロック２４は裏返されて対称ジグソーパズルユニットの別の対角している位置に位置する。
【００１９】
本実施形態は、正多辺体を呈する組み合わせマット１１が分割されて対称ジグソーパズルユニット４０の各ブロックを構成するため、従来のジグソーパズルユニットの製造時の廃棄物を抑制することができ、原材料の浪費を減らし、コスト削減の目的を達成することができる。
【００２０】
さらに、本実施形態による組合せマット１１のブロックから形成される対称ジグソーパズルユニット４０は、別の複数の対称ジグソーパズルユニットと組み合わせることで異なるデザインをつくりだすことができる（図３参照）。また、図４に示すように、本実施形態の組合せマット１１のブロックから形成される対称ジグソーパズルユニット４０は、ユーザーの組み合わせの要求に合わせ、部分的なブロックを分解することで周縁を直線状にすることができ、室内の壁または角に対応することができる。
【００２１】
（第二実施形態）
次は本発明の第二実施形態のパズル部材を図５に基づいて説明する。
図５は本発明の第二実施形態を示す模式図である。組合せマット１１ｂは４つの辺を有する正方形であり、各辺にはアリ溝が等間隔に形成されている係合部１２ｂを有する。組合せマット１１ｂは、２本の横断線１３ｂ及び横断線１４ｂにより、４つのブロック２１ｂ、ブロック２２ｂ、ブロック２３ｂ、及びブロック２４ｂに分割される。２本の横断線１３ｂ及び横断線１４ｂは、互いに隣接する２つの辺の間に形成されている角のうち互いに対向する角を連結するようＸ字状に交差する。２本の横断線１３ｂ及び横断線１４ｂは所定の湾曲状を呈し、各ブロック２１ｂ、ブロック２２ｂ、ブロック２３ｂ、及びブロック２４ｂの接触箇所には相互に嵌合可能な嵌合部１５ｂがそれぞれ形成させる。
【００２２】
本実施形態では、２本の横断線１３ｂ及び横断線１４ｂは前記パズル部材１１ｂを４つの同じ形状のブロック２１ｂ、ブロック２２ｂ、ブロック２３ｂ、及びブロック２４ｂに分割する。その内の何れか２つのブロック２１ｂ、ブロック２２ｂ、ブロック２３ｂ、及びブロック２４ｂにより対称ジグソーパズルユニット４０ｂを形成することができる。例えば、パズル部材１１ｂの内のブロック２１ｂとパズル部材１１ｂのブロック２２ｂとが係合部１５ｂにより結合することで対称ジグソーパズルユニット４０ｂを形成する。パズル部材１１ｂの残りのブロック２３ｂ及びブロック２４ｂは別の対称ジグソーパズルユニット（図示せず）を形成する。
【００２３】
（第三実施形態）
本発明の第三実施形態のパズル部材を図６に基づいて説明する。
図６に示すように、本実施形態のパズル部材１１ｃは非対称ジグソーパズルユニット４０ｃを形成することができる。パズル部材１１ｃは、４つの辺を有する正方形であり、各辺はアリ溝が等間隔に形成されている凹凸部１２ｃを有する。パズル部材１１ｃは、２本の横断線１３ｃ及び横断線１４ｃにより、異なる形状を有する４つのブロック２１ｃ、ブロック２２ｃ、ブロック２３ｃ、及びブロック２４ｃに分割される。２本の横断線１３ｃ及び横断線１４ｃは、パズル部材１１ｃの互いに対向する２つの辺を連結するよう十字状に交差する。２本の横断線１３ｃ及び横断線１４ｃは規律的な湾曲状を呈する。各ブロック２１ｃ、ブロック２２ｃ、ブロック２３ｃ、及びブロック２４ｃの接触箇所には相互に嵌合可能な嵌合部１５ｃが形成されている。各ブロック２１ｃ、ブロック２２ｃ、ブロック２３ｃ、及びブロック２４ｃは、係合部１２ｃにより結合され、非対称ジグソーパズルユニット４０ｃを形成することができる。
【００２４】
（第四実施形態）
次は本発明の第四実施形態のパズル部材を図７に基づいて説明する。
図７に示すように、本実施形態のパズル部材は、非対称パズルマットに応用される。パズル部材１１ｄは、４つの辺を有する正方形であり、各辺にアリ溝が等間隔に形成されている係合部１２ｄを有する。パズル部材１１ｄは、２本の横断線１３ｄ及び横断線１４ｄにより、異なる形状を有する４つのブロック２１ｄ、ブロック２２ｄ、ブロック２３ｄ、及びブロック２４ｄに分割さされる。２本の横断線１３ｄ及び横断線１４ｄは、パズル部材１１ｄの辺の間に形成されている角のうち互いに対向する角を連結するようＸ字状に交差する。２本の横断線１３ｄ及び横断線１４ｄは規律的な湾曲状を呈し、各ブロック２１ｄ、ブロック２２ｄ、ブロック２３ｄ、及びブロック２４ｄの接触箇所には相互に嵌合可能な嵌合部１５ｄが形成されている。パズル部材１１ｄのブロック２１ｄとブロック２３ｄは、係合部１２ｄが結合することにより、非対称ジグソーパズルユニット４０ｄを形成する。パズル部材の残りのブロック２２ｄ及びブロック２４ｄは、係合部１２ｄが結合することにより、別の非対称ジグソーパズルユニット４１ｄを形成する。
【００２５】
本発明は、上述した実施形態に限定されるものではなく、発明の趣旨を逸脱しない範囲で種々の形態で実施可能である。
【符号の説明】
【００２６】
１１・・・パズル部材、
１２・・・係合部、
１３・・・横断線、
１４・・・横断線、
１５・・・嵌合部、
２１・・・ブロック、
２２・・・ブロック、
２３・・・ブロック、
２４・・・ブロック、
３０・・・別のパズル部材、
３１・・・横断線、
３２・・・横断線、
３３・・・ブロック、
３４・・・ブロック、
３５・・・ブロック、
３６・・・ブロック、
４０・・・対称ジグソーパズルユニット、
１１ｂ・・・パズル部材、
１２ｂ・・・係合部、
１３ｂ・・・横断線、
１４ｂ・・・横断線、
１５ｂ・・・嵌合部、
２１ｂ・・・ブロック、
２２ｂ・・・ブロック、
２３ｂ・・・ブロック、
２４ｂ・・・ブロック、
４０ｂ・・・対称ジグソーパズルユニット、
１１ｃ・・・パズル部材、
１２ｃ・・・係合部、
１３ｃ・・・横断線、
１４ｃ・・・横断線、
１５ｃ・・・嵌合部、
２１ｃ・・・ブロック、
２２ｃ・・・ブロック、
２３ｃ・・・ブロック、
２４ｃ・・・ブロック、
４０ｃ・・・非対称ジグソーパズルユニット、
１１ｄ・・・パズル部材、
１２ｄ・・・係合部、
１３ｄ・・・横断線、
１４ｄ・・・横断線、
１５ｄ・・・嵌合部、
２１ｄ・・・ブロック、
２２ｄ・・・ブロック、
２３ｄ・・・ブロック、
２４ｄ・・・ブロック、
４０ｄ・・・非対称ジグソーパズルユニット、
４１ｄ・・・別の非対称ジグソーパズルユニット。
【図１】
0005623570.tif 000002
【図２】
0005623570.tif 000003
【図３】
0005623570.tif 000004
【図４】
0005623570.tif 000005
【図５】
0005623570.tif 000006
【図６】
0005623570.tif 000007
【図７】
0005623570.tif 000008
【図８】
0005623570.tif 000009